(57)【特許請求の範囲】
【請求項１】
洗濯液中へ移行した染料の再沈殿を防止する方法であって、
式（１）：
【化１】
0004290269.tif 000053
（式中、
ｎは、０、１、２又は３であり、
ｍは、１、２又は３であり、
Ａは、アニオンであり；
Ｙは、直鎖若しくは分岐鎖の式−〔Ｃ（Ｒ5)2〕ｒ−（ここで、ｒは、１〜８の整数であり、そしてＲ5基は、互いに独立して、水素又はＣ1−Ｃ4アルキルである）のアルキレン基、−ＣＸ＝ＣＸ−（ここで、Ｘは、シアノ、直鎖若しくは分岐鎖のＣ1−Ｃ8アルキル又はジ（直鎖若しくは分岐鎖のＣ1−Ｃ8アルキル）−アミノである）、−（ＣＨ2)q−ＮＲ4−（ＣＨ2)q−（ここで、Ｒ4は、水素又は直鎖若しくは分岐鎖のＣ1−Ｃ4アルキルであり、そしてｑは、１、２、３又は４である）であるか、又は下記式：
【化２】
0004290269.tif 000054
の１，２−シクロヘキシレン基のいずれか、又は下記式：
【化３】
0004290269.tif 000055
（上記式中、
Ｒ9は、ＳＯ3Ｈ、ＣＨ2ＯＨ又はＣＨ2ＮＨ2である）
の１，２−アリーレン基のいずれかであり、
Ｒ及びＲ１は、互いに独立して、シアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、直鎖若しくは分岐鎖の、かつ部分的にフルオロ若しくはペルフルオロ化Ｃ1−Ｃ8アルキル、ＮＨＲ6若しくはＮＲ6Ｒ7（ここで、Ｒ6及びＲ7は、同一若しくは異なり、かつそれぞれ直鎖若しくは分岐鎖のＣ1−Ｃ12アルキルであるか、又はＲ6とＲ7は、それらを結合する窒素原子と一緒になって、５−、６−若しくは７−員環（それらは、ヘテロ原子を更に含んでいてもよい）を形成する）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）であり、
Ｒ2及びＲ3は、互いに独立して、水素、直鎖若しくは分岐鎖のＣ1−Ｃ4アルキル又は非置換アリール、あるいはシアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、ＮＨＲ6若しくはＮＲ6Ｒ7（ここで、Ｒ6及びＲ7は、同一若しくは異なり、かつ上記と同義である）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）で置換されているアリールであるが、ただし
ｎ及びｍが同一であるならば、Ｒ及びＲ1は、同じ意味を有さない）で示される１種以上の化合物を、過酸化物含有洗剤を含む洗濯液１リットル当たり０．５〜１５０mg加えること含むことを特徴とする方法。
【請求項２】
アニオンＡが、ハライド、ペルクロラート、スルファート、ニトラート、ヒドロキシド、ＢＦ4-、ＰＦ6-、カルボキシラート、トリフラート又はトシラートである、請求項１記載の方法。
【請求項３】
Ｙが、式−（ＣＨ2)r−（ここで、ｒは、１〜８の整数である）又は式−Ｃ（Ｒ5)2−（ＣＨ2)p−Ｃ（Ｒ5)2−（ここで、ｐは、０〜６の数であり、そしてＲ5は、水素又はＣ1−Ｃ4アルキルである）の基である、請求項１又は２記載の方法。
【請求項４】
ｎ及び／又はｍが、１であり、そしてＲ及び／又はＲ1が、ニトロ及びＣＯＯＲ5を除いて上記と同義であり、かつそれぞれのベンゼン環の４位に位置している、請求項１〜３のいずれか１項記載の方法。
【請求項５】
ｎ及び／又はｍが、１であり、そしてＲ及び／又はＲ1が、ニトロ又はＣＯＯＲ5であり、かつそれぞれのベンゼン環の５位に位置し、そしてＲ5が、水素又は直鎖若しくは分岐鎖のＣ1−Ｃ4アルキルである、請求項１〜４のいずれか１項記載の方法。
【請求項６】
Ｒ及びＲ1が、ニトロ、ＯＲ5、ＣＯＯＲ5又はＮ（Ｒ5）2（ここで、Ｒ5は、水素又はＣ1−Ｃ4アルキルである）である、請求項１〜５のいずれか１項記載の方法。
【請求項７】
１）アニオン界面活性剤Ａ）及び／又は非イオン界面活性剤Ｂ）５〜９０％、２）ビルダー物質Ｃ）５〜７０％、３）過酸化物Ｄ）０．１〜３０％及び４）請求項１記載の式（１）の化合物Ｅ）０．００５〜２％（ここで、パーセントは、洗剤の全重量に基づいての重量％である）を含む洗剤。
【請求項８】
ポリビニルピロリドン０．０５〜５重量％を更に含む、請求項７記載の洗剤。
【請求項９】
ＴＡＥＤ０．０５〜５重量％を更に含む、請求項７又は８記載の洗剤。
【請求項１０】
式（１）の化合物を、相当する類似の対称マンガン錯体、すなわち（Ｒ)n及び（Ｒ1)mが同一である式（１）の化合物と一緒に用いる、請求項１記載の方法。
【発明の詳細な説明】
【０００１】
本発明は、ペルオキシド及びマンガン触媒を含む洗濯液での移行染料の再沈殿を防止する方法、この方法に適切なマンガン触媒、及びこれらの触媒を含む洗剤配合物に関する。
【０００２】
サレン（salen）タイプのマンガン錯体のいくつかが、過酸素化合物での酸化、特に洗濯工程の部分として、適切な触媒であることは既に知られている。含まれているサレン錯体は、すべて対称形である。マンガン錯体のあるものが、洗濯液中で汚れ及び染料に対して顕著な漂白効果を有することは以前に記載されている。
【０００３】
サレンタイプの非対称マンガン錯体のいくつかが、染料又は繊維を顕著に損傷することなく洗濯液中の移行染料の再沈殿を防止するための触媒として大きな特定の効果を示すことが今見出された。錯体類は、それらが二つの異なる改質されたサリシルアルデヒド又はｏ−ヒドロキシフェニルケトンの２モルと、エチレンジアミン又は他の改質されたジアミン構成部品の１モルとの反応によりもたらされ、それにより二つの異なる置換された芳香族基を有する。
【０００４】
したがって、本発明は、洗濯液中へ移行した染料の再沈殿を防止する方法であって、式（１）：
【０００５】
【化１２】
0004290269.tif 000002
【０００６】
（式中、
ｎは、０、１、２又は３であり、
ｍは、１、２又は３であり、
Ａは、アニオンであり；
Ｙは、直鎖若しくは分岐鎖の式−〔Ｃ（Ｒ5)2〕ｒ−（ここで、ｒは、１〜８の整数であり、そしてＲ5基は、互いに独立して、水素又はＣ1−Ｃ4アルキルである）のアルキレン基、−ＣＸ＝ＣＸ−（ここで、Ｘは、シアノ、直鎖若しくは分岐鎖のＣ1−Ｃ8アルキル又はジ（直鎖若しくは分岐鎖のＣ1−Ｃ8アルキル）−アミノである）、−（ＣＨ2)q−ＮＲ4−（ＣＨ2)q−（ここで、Ｒ4は、水素又は直鎖若しくは分岐鎖のＣ1−Ｃ4アルキルであり、そしてｑは、１、２、３又は４である）であるか、又は下記式：
【０００７】
【化１３】
0004290269.tif 000003
【０００８】
の１，２−シクロヘキシレン基のいずれか、又は下記式：
【０００９】
【化１４】
0004290269.tif 000004
【００１０】
（上記式中、
Ｒ9は、ＳＯ3Ｈ、ＣＨ2ＯＨ又はＣＨ2ＮＨ2である）
の１，２−アリーレン基のいずれかであり、
Ｒ及びＲ１は、互いに独立して、シアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、直鎖若しくは分岐鎖の、かつ部分的にフルオロ若しくはペルフルオロ化Ｃ1−Ｃ8アルキル、ＮＨＲ6若しくはＮＲ6Ｒ7（ここで、Ｒ6及びＲ7は、同一若しくは異なり、かつそれぞれ直鎖若しくは分岐鎖のＣ1−Ｃ12アルキルであるか、又はＲ6とＲ7は、それらに結合する窒素原子と一緒になって、５−、６−若しくは７−員環（それらは、ヘテロ原子を更に含んでいてもよい）を形成する）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）であり、
Ｒ2及びＲ3は、互いに独立して、水素、直鎖若しくは分岐鎖のＣ1−Ｃ4アルキル又は非置換アリール、あるいはシアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、ＮＨＲ6若しくはＮＲ6Ｒ7（ここで、Ｒ6及びＲ7は、同一若しくは異なり、かつ上記と同義である）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）で置換されているアリールであるが、ただし
ｎ及びｍが同一であるならば、Ｒ及びＲ1は、同じ意味を有さない）で示される１種以上の化合物０．５〜１５０mgを、洗濯液１リットル当たりに含む過酸化物含有洗剤を含む洗濯液に加える方法を提供する。
【００１１】
ｎが２又は３である式（１）の化合物のうちで、基Ｒは、同一又は異なることができる。基Ｒ1に関して、同様なことが、ｍが２又は３である式（１）の化合物に適用される。
【００１２】
Ｙが、１，２−シクロヘキシレン基であるとき、その立体異性体シス／トランス形態のそれぞれが存在することができる。
【００１３】
好適には、Ｙは、式−（ＣＨ2)r−（ここで、ｒは、１〜８の整数である）又は式−Ｃ（Ｒ5)2−（ＣＨ2)p−Ｃ（Ｒ5)2−（ここで、ｐは、０〜６の数であり、そしてＲ5は、水素又はＣ1−Ｃ4アルキルである）の基である。
【００１４】
式（１）の特に好適な化合物において、Ｙは、式−（ＣＨ2)r−（ここで、ｒは、１〜４の整数である）又は式−Ｃ（Ｒ5)2−Ｃ（Ｒ5)2−（ここで、Ｒ5は、それぞれの場合に独立して、水素又はメチルである）の基である。
【００１５】
ハロゲンは、好適には塩素、臭素又はフッ素、特に好適には塩素である。
【００１６】
ｎ又はｍが、１であるならば、基Ｒ及びＲ1は、Ｒ又はＲ1がそれぞれニトロ又はＣＯＯＲ5であるときを除いて、それぞれベンゼン環の４位にある。この（ニトロ又はＣＯＯＲ5である）場合、基Ｒ又はＲ1は、それぞれ好適には５位にある。
【００１７】
ｎ又はｍが、１であるならば、二つのＲ基又はＲ1基は、Ｒ又はＲ1が、それぞれニトロ又はＣＯＯＲ5であるときを除いて、好適にはそれぞれベンゼン環の４及び６位にある。この（ニトロ又はＣＯＯＲ5である）場合、二つのＲ基又はＲ1基は、それぞれ好適には３及び５位にある。
【００１８】
Ｒ又はＲ1が、ジ（Ｃ1−Ｃ12アルキル）アミノであるならば、アルキル基は、直鎖又は分岐鎖であることができる。それは、好適には１〜８、特に１〜４、特別に１又は２個の炭素原子を含む。
【００１９】
基Ｒ又はＲ1は、好適には、水素、ニトロ、ＯＲ5、ＣＯＯＲ5又はＮ（Ｒ5)2（ここで、Ｒ5は、水素又はＣ1−Ｃ4アルキル、特に、メチル又はエチルである）である。
【００２０】
基Ｒ2及びＲ3は、特に水素、メチル、エチル又は非置換フェニルである。
【００２１】
アリールは、例えばナフチル又は特にフェニルである。
【００２２】
Ｒ6及びＲ3がそれらと結合する窒素原子と一緒になって５−、６−又は７−員環を形成するならば、その環は、特にピロリジン、ピペリジン、モルホリン又はピペラジン環である。ピペラジン環は、例えばフェニル環に結合していない窒素原子上に、アルキルにより置換されていることができる。
【００２３】
適切なアニオンの例は、クロリドのようなハライド、ペルクロラート、スルファート、ニトラート、ヒドロキシド、ＢＦ4-、ＰＦ6-、カルボキシラート、トリフラート及びトシラートである。それらのうちで好適なものは、クロリド、アセタート及びカルボキシラートである。
【００２４】
本発明は、式（１ａ）：
【００２５】
【化１５】
0004290269.tif 000005
【００２６】
（式中、
ｎは、０、１、２又は３であり、
ｍは、１、２又は３であり、
Ａは、アニオンであり；
Ｙは、直鎖若しくは分岐鎖の式−〔Ｃ（Ｒ5)2〕ｒ−（ここで、ｒは、１〜８の整数であり、そしてＲ5基は、互いに独立して、水素又はＣ1−Ｃ4アルキルである）のアルキレン基、−ＣＸ＝ＣＸ−（ここで、Ｘは、シアノ、直鎖若しくは分岐鎖のＣ1−Ｃ8アルキル又はジ（直鎖若しくは分岐鎖のＣ1−Ｃ8アルキル）−アミノである）、−（ＣＨ2)q−ＮＲ4−（ＣＨ2)q−（ここで、Ｒ4は、上記と同義であり、そしてｑは、１、２、３又は４である）であるか、又は下記式：
【００２７】
【化１６】
0004290269.tif 000006
【００２８】
の１，２−シクロヘキシレン基のいずれか、又は下記式：
【００２９】
【化１７】
0004290269.tif 000007
【００３０】
（上記式中、
Ｒ9は、ＳＯ3Ｈ、ＣＨ2ＯＨ又はＣＨ2ＮＨ2である）
の１，２−アリーレン基のいずれかであり、
Ｒ及びＲ１は、互いに独立して、シアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、直鎖若しくは分岐鎖の、かつ部分的にフルオロ若しくはペルフルオロ化Ｃ1−Ｃ8アルキル、ＮＨＲ6若しくはＮＲ6Ｒ7（ここで、Ｒ6及びＲ7は、同一若しくは異なり、かつそれぞれ直鎖若しくは分岐鎖のＣ1−Ｃ12アルキルであるか、又はＲ6とＲ7は、それらと結合する窒素原子と一緒になって、５−、６−若しくは７−員環（それらは、ヘテロ原子を更に含んでいてもよい）を形成する）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）であり、
Ｒ2及びＲ3は、互いに独立して、水素、直鎖若しくは分岐鎖のＣ1−Ｃ4アルキル又は非置換アリール、あるいはシアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、ＮＨＲ6若しくはＮＲ6Ｒ7（ここで、Ｒ6及びＲ7は、同一若しくは異なり、かつそれぞれ直鎖若しくは分岐鎖のＣ1−Ｃ12アルキルであるか、又はＲ6とＲ7は、それらに結合する窒素原子と一緒になって、５−、６−若しくは７−員環（それらは、ヘテロ原子を更に含んでいてもよい）を形成する）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）で置換されているアリールであるが、ただし
ｎ及びｍが同一であり、かつＲ2及びＲ3が両方水素であるならば、Ｒ及びＲ1は、同じ意味を有さず、かつＲ2及びＲ3のうち、一方が水素であり、他方がフェニルである場合はない）で示される化合物を提供する。
【００３１】
ｎ、ｍ、Ｙ、Ａ、Ｒ、Ｒ1、Ｒ2及びＲ3に対しての式（１）のマンガン錯体に示された好適な定義的は、式（１ａ）の化合物にも好適である。
【００３２】
式（１）及び（１ａ）の化合物は、例えば相当する配位子とマンガン化合物から慣用の方法により調製される。この種の調製方法は、例えばＵＳＰ５，２８１，５７８及び４，０６６，４５９に記載されている。しかしながら、ここで述べたマンガン錯体のすべては、対称的に置換された配位子を持っている。驚くべきことに、非対称配位子を有する本発明のマンガン錯体は、ペルオキシドでの酸化の触媒として増強された特定の効果を特徴とする。
【００３３】
式（２）：
【００３４】
【化１８】
0004290269.tif 000008
【００３５】
（式中、
Ｒ、Ｒ1、Ｒ2、Ｒ3、Ｙ、ｎ及びｍは、式（１ａ）と同義である）で示される配位子は、同様に新規である。
【００３６】
これらは、例えばまず式Ｈ2Ｎ−Ｙ−ＮＨ2のジアミンを、式（３）：
【００３７】
【化１９】
0004290269.tif 000009
【００３８】
のアルデヒド又はケトンと反応させ、次いで式（４）：
【００３９】
【化２０】
0004290269.tif 000010
【００４０】
のアルデヒド又はケトンと反応させることによる、慣用の方法により製造される。
【００４１】
式（３）及び（４）において、Ｒ、Ｒ1、Ｒ2、Ｒ3、ｎ及びｍは、式（１）と同義であるが、ただしＲ及びＲ1は、ｎ及びｍが同一ならば、同一の意味を有さない。
【００４２】
本発明の方法で用いるための特に興味のあるものは、式（１Ａ）：
【００４３】
【化２１】
0004290269.tif 000011
【００４４】
の化合物及び式（１Ｂ）：
【００４５】
【化２２】
0004290269.tif 000012
【００４６】
の化合物である。
【００４７】
式（１）の化合物を、相当する類似の対称マンガン錯体、すなわち（Ｒ)n及び（Ｒ1)mが同一である式（１）の化合物と一緒に用いることもできる。そのような混合物は、例えば式Ｈ2Ｎ−Ｙ−ＮＨ2のジアミンと、式（２）の配位子の上記の調製において式（３）の二つの異なる化合物の混合物と反応させ、次いで式（２）の１個の非対称及び２個の対称配位子の混合物を相当するＭｎ錯体へ変換することにより得られる。
【００４８】
本発明は、更に、
１）アニオン界面活性剤Ａ）及び／又は非イオン界面活性剤Ｂ）５〜９０％、
２）ビルダー物質Ｃ）５〜７０％、
３）過酸化物Ｄ）０．１〜３０％及び
４）請求項１記載の式（１）の化合物Ｅ）０．００５〜２％（ここで、パーセントは、洗剤の全重量に基づいての重量％である）を含む洗剤を提供する。
【００４９】
洗剤は、固体、又は例えば水５重量％未満、好適には０〜1重量％を含む非水液としての液体形態として存在することができ、例えばＧＢ−Ａ−２，１５８，４５４に記載されているように、その基材は、非イオン性界面活性剤中にビルダー物質の懸濁液を有してもよい。
【００５０】
しかしながら、好適には、洗剤は、粉末又は粒状形態である。
【００５１】
この洗剤は、例えばまずＤ）及びＥ）を除く上記の全成分をのすべてを含むスラーを噴霧乾燥により初めの粉末を調製し、次いで乾燥成分Ｄ）及びＥ）を加え、次いで全成分を互いに混合することにより製造することができる。
【００５２】
別の方法として、成分Ｅ）を、成分Ａ）、Ｂ）及びＣ）を含む水性スラリーに加え、噴霧乾燥し、後に成分Ｄ）を乾燥塊と一緒に混合することにより製造することができる。
【００５３】
別の方法は、成分Ａ）及びＣ）を含み、成分Ｂ）をまったく含まない水性スラリーから出発することである。このスラリーを噴霧乾燥し、次いで成分Ｅ）を成分Ｂ）と共に混合し、続いて成分Ｄ）を乾燥形態で混合する。
【００５４】
アニオン界面活性剤Ａ）は、例えばスルファート、スルホナート又はカルボキシラート界面活性剤又はその混合物であることができる。
【００５５】
好適なスルファート類は、アルキル基中に１２〜２２個の炭素原子を有するそれら単独、又はアルキル基が１０〜２０個の炭素原子を有するアルキルエトキシ−界面活性剤との組み合わせである。
【００５６】
好適なスルホナート類は、例えばアルキル基に９〜１５個の炭素原子を有するアルキルベンゼンスルホナート類である。
【００５７】
アニオン界面活性剤のカチオンは、好適には金属カチオン、特にナトリウムである。
【００５８】
好適なカルボキシラート類は、式Ｒ−ＣＯ−Ｎ（Ｒ1）−ＣＨ2ＣＯＯＭ1（ここで、Ｒは、アルキル又はアルケニル基中に８〜１８個の炭素原子を有するアルキル又はアルケニルであり、Ｒ1は、Ｃ1−Ｃ4アルキルであり、そしてＭ1は、アルカリ金属である）のアルカリ金属サルコシナート類である。
【００５９】
非イオン性界面活性剤Ｂ）は、例えばエチレンオキシド３〜８モルと９〜１５個の炭素原子を有する第１級アルコール１モルとの縮合生成物である。
【００６０】
適切なビルダー物質Ｃ）の例は、アルカリ金属ホスファート類、特にトリポリホスファート類、カルボナート類若しくはバイカルボナート類、特にそれらのナトリウム塩類、シリカート類、アルミニウムシリカート類、ポリカルボキシラート類、ポリカルボン酸類、有機ホスファート類、アミノアルキレンポリ（アルキレンホスホナート類）又はそれらの化合物の混合物である。
【００６１】
特に好適なシリカート類は、式ＮａＨＳｉtＯ2t+1pH2Ｏ又はＮａ2ＳｉtＯ2t+1pH2Ｏ（ここで、ｔは、１．９〜４の数であり、そしてｐは、０〜２０の数である）の結晶のナトリウム塩類である。
【００６２】
アルミニウムシリカート類のうち、好適なものは、ゼオライトＡ、Ｂ、Ｘ及びＨＳの名前で商業的に得られるそれら、及びそれらの成分の２種又は３種以上を含む混合物である。
【００６３】
ポリカルボキシラート類のうちで、好適なものは、ポリヒドロキシカルボキシラート類、特にシトラート類、及びアクリラート類並びにマレイン酸無水物とのそれらのコポリマー類である。
【００６４】
好適なポリカルボン酸類は、ニトリロ三酢酸、エチレンジアミン四酢酸、及びエチレンジアミンジサクシナート（ラセミ形態及びエナンチオ的に純粋なＳ，Ｓ形態の両方）である。
【００６５】
特に適切なホスホナート類又はアミノアルキレンポリ（アルキレンホスホナート類）は、１−ヒドロキシエタン−１，１−ホスホン酸、ニトリロトリス（メチレンホスホン酸）、エチレンジアミンテトラメチレンホスホン酸及びジエチレントリアミンペンタメチレンホスホン酸のアルカリ金属塩類である。
【００６６】
適切なペルオキシドＤ）は、例えば文献記載の、商業的に入手し得る有機及び無機ペルオキシド類（これらは、慣用の洗濯温度、例えば１０〜９５℃で繊維材料を漂白する）である。
【００６７】
有機ペルオキシド類は、例えばモノ−又はポリペルオキシド類、特に有機過酸類又はその塩類、例えばフタルイミド過カプロン酸、過安息香酸、ジペルオキシドデカン二酸、ジペルオキシノナン二酸、ジペルオキシデカン二酸、ジペルオキシフタル酸、又はその塩類である。
【００６８】
しかしながら、無機過酸類、例えば過硫酸塩類、過ホウ酸塩類、過炭酸塩類及び過珪酸塩類を用いることが好適である。もちろん、無機及び／又は有機ペルオキシドの混合物を用いることもできる。ペルオキシド類は、異なる結晶形態、かつ異なる含水量で存在することができ、貯蔵中でのそれらの安定性を増強するために、他の有機又は無機化合物と一緒に用いることもできる。
【００６９】
洗剤へのペルオキシドの添加は、好適には例えばスクリュウ計量システム及び／又は流動床ミキサーの助けにより成分を混合することにより行う。
【００７０】
本発明の組み合わせに加えて、洗剤は、例えばビストリアジニルアミノスチルベンジスルホン酸、ビストリゾリルスチルベンジスルホン酸、ビススチリルビフェニル若しくはビスベンゾフリル又はビスベンゾキサリル誘導体、ビスベンズイミダリル誘導体、クマリン誘導体若しくはピラゾリン誘導体の組からの蛍光白化剤の１種又は２種以上を含むことができる。
【００７１】
更に、洗剤は、防汚剤、例えばナトリウムカルボキシメチルセルロース、pH調節剤、例えばアルカリ金属又はアルカリ土類金属シリカート、泡調整剤、例えば石鹸、噴霧乾燥及び粒状特性調整剤、例えば硫酸ナトリウム、香料、及び所望ならば帯電防止剤及び繊維柔軟化剤、酵素、例えばアミラーゼ、漂白剤、顔料及び／又は色相剤（shading agent）を含むことができる。これらの構成物は、もちろん、用いられている漂白剤に安定であるべきである。
【００７２】
本発明の洗剤への更に好適な添加物は、繊維を洗濯するとき、洗濯条件で繊維から離れる洗濯液中の染料のための汚れを防止するポリマーである。これらは、好適には非改質の、又はアニオン性若しくはカチオン性物質の導入により改質されたポリビニルピロリドン、特に５，０００〜６０，０００の範囲、特に１０，０００〜５０，０００の分子量を有するそれらである。それらのポリマーは、洗剤の全重量に基づいて、好適には０．０５〜５重量％、特に０．２〜１．７％重量の量で用いられる。
【００７３】
更に、本発明の洗剤は、例えばＴＡＥＤ又はＴＡＧＵのような過ホウ酸塩活性剤として知られているものを含むことができる。好適なものは、ＴＡＥＤであり、洗剤の全重量に基づいて、好適には０．０５〜５重量％、特に０．２〜１．７％重量の量で用いられる。
【００７４】
【実施例】
本発明を以下の実施例により説明するが、これらの実施例に発明の範囲を限定するものではない。部及びパーセントは、特に断らない限り、重量による。
【００７５】
実施例１：
Ｎ−モノ〔４−（ジエチルアミノ）サリシリデン〕−２−メチルプロパン−１，２−ジアミン
【００７６】
【化２３】
0004290269.tif 000013
【００７７】
エタノール５０mlに溶解した１，２−ジアミノ−２−メチルプロパン４．５６ｇ（０．０５１７mol）の溶液を反応容器に入れ、エタノール５０mlに溶解した４−Ｎ−ジエチルアミノサリシルアルデヒド１０．０ｇ（０．０５１７mol）の溶液を、室温で２時間かけて撹拌しながら滴下した。２時間撹拌して反応を完結させ〔ＴＬＣモニター、展開溶媒：アセトニトリル／水（９：１）〕、反応溶液を注意しながら濃縮して残渣を高真空下に乾燥した。暗赤色油状物質として得られた粗生成物１３．６ｇを、更に精製することなく次の反応に使用した。
【００７８】
実施例２：
Ｎ−モノ〔４−（ジメチルアミノ）サリシリデン〕−２−メチルプロパン−１，２−ジアミン
【００７９】
【化２４】
0004290269.tif 000014
【００８０】
１，２−ジアミノ−２−メチルプロパン６．４ml（５．３ｇ、６０．５mmol）に、エタノール１００mlに溶解した４−Ｎ−ジメチルアミノサリシルアルデヒド１０．０ｇ（６０．５mmol）の溶液を室温で２時間かけて撹拌しながら滴下した。室温で２時間撹拌して反応を完結させ〔ＴＬＣモニター、展開溶媒：アセトニトリル／水（９：１）〕、反応溶液を注意しながら濃縮して残渣を高真空下に乾燥した。暗赤色油状物質として得られた粗生成物１４ｇを、更に精製することなく次の反応に使用した。
【００８１】
実施例３：
Ｎ−１−〔４−（ジエチルアミノ）サリシリデン〕−Ｎ′−２−（４−メトキシサリシリデン）−２−メチルプロパン−１，２−ジアミン（構造式Ｉ）及びＮ−２−〔４−（ジエチルアミノ）サリシリデン〕−Ｎ′−１−（４−メトキシサリシリデン）−２−メチルプロパン−１，２−ジアミン（構造式II）
【００８２】
【化２５】
0004290269.tif 000015
【００８３】
実施例１で得られたＮ−モノ〔４−（ジエチルアミノ）サリシリデン〕−２−メチルプロパン−１，２−ジアミン１３．６ｇ（０．０５１７mol）をエタノール５０mlに懸濁し、透明な溶液が得られるまで５０℃で撹拌加熱した。固体の４−メトキシサリシルアルデヒド７．８７ｇ（０．０５１７mol）を加え、この混合物を２時間還流加熱して反応を完結させた〔ＴＬＣモニター、展開溶媒：酢酸エチル／メタノール（９：１）〕。次いで、反応溶液を注意しながら濃縮して残渣を高真空下に乾燥し、徐々に固化する暗赤色油状物質として粗生成物２０ｇを得た。粗生成物をカラムクロマトグラフィー〔溶出溶媒：酢酸エチル／メタノール（９：１）〕に付して精製し、非対称に置換したサレン誘導体をジアステレオマー混合物（構造式Ｉ及びII）として単離した。収量：７ｇ、帯赤色油状物質（３４％）。1Ｈ及び13ＣのＮＭＲ分光法によって生成物を確認した。
13C NMR (CDCl3):  = 12.7 (CH3CH2N), 25.3, 25.4 ((CH3)2C-), 44.5 (NCH2CH3), 55.3 (OCH3), 58.5, 59.3 (quat C, (CH3)2C-), 68.7, 69.3 (NCH2), 98.0, 98.5, 101.2, 101.5, 103.0, 103.1, 106.2, 106.3, 133.0, 133.1 (tert アリール-C), 108.3, 108.4, 112.1, 112.3, 151.6, 151.9, 163.7, 163.9, 166.0, 166.7, 167.4, 168.4, (quat アリール-C), 159.2, 160.2, 164.8, 165.5 (C=N).
MS (EI-MS) m/z: 397.3 (M)+, 205, 192 (異性体 I), 233 (異性体 II)
【００８４】
実施例４：
Ｎ−１−〔４−（ジエチルアミノ）サリシリデン〕−Ｎ′−２−（４−ヒドロキシサリシリデン）−２−メチルプロパン−１，２−ジアミン（構造式Ｉ）及びＮ−２−〔４−（ジエチルアミノ）サリシリデン〕−Ｎ′−１−（４−ヒドロキシサリシリデン）−２−メチルプロパン−１，２−ジアミン（構造式II）
【００８５】
【化２６】
0004290269.tif 000016
【００８６】
実施例１で得られたＮ−モノ〔４−（ジエチルアミノ）サリシリデン〕−２−メチルプロパン−１，２−ジアミン１．３６ｇ（５．１７mmol）をエタノール５mlに溶解し、４−ヒドロキシサリシルアルデヒド７１５mg（５．１７mmol）と混合し、この混合液を６０℃で３時間加熱した。反応完結後〔ＴＬＣモニター、展開溶媒：酢酸エチル／メタノール（９：１）〕、反応混合物を注意しながら濃縮して残渣をカラムクロマトグラフィー〔固定相：シリカゲル２５０ｇ、溶出溶媒：酢酸エチル／メタノール（９：１）〕に付して精製した。収量：２４４mg（１２％）、異性体混合物。
13C NMR (CD3OD):  = 12.3 (CH3CH2N), 24.1, 24.5 ((CH3)2C-), 44.6 (NCH2CH3), 57.3, 58.6 (quat C), 63.0, 66.3 (=NCH2), 98.9, 99.4, 100.1, 104.1, 104.3, 107.7, 134.6, 135.2, 135.8 (tert アリール-C), 108.2, 111.3, 111.6, 154.6, 155.1, 164.2, 165.0, 173.9, 175.9 (quat アリール-C), 158.3, 161.4, 163.5, 166.6 (C=N).
【００８７】
実施例５：
Ｎ−１−〔４−（ジエチルアミノ）サリシリデン〕−Ｎ′−２−（サリシリデン）−２−メチルプロパン−１，２−ジアミン（構造式Ｉ）及びＮ−２−〔４−（ジエチルアミノ）サリシリデン〕−Ｎ′−１−（サリシリデン）−２−メチルプロパン−１，２−ジアミン（構造式II）
【００８８】
【化２７】
0004290269.tif 000017
【００８９】
実施例１で得られたＮ−モノ〔４−（ジエチルアミノ）サリシリデン〕−２−メチルプロパン−１，２−ジアミン１３．６２ｇ（０．０５１７mol）をエタノール５０mlに溶解して５０℃に加熱し、サリシルアルデヒド５．５ml（６．３１ｇ、０．０５１７mol）を３分間かけて滴下した。滴下の間、反応溶液の温度は５℃上昇した。３時間還流してから放冷し、ロータリエバポレーターを用いて濃縮した。二つのジアステレオマー（Ｉ）及び（II）よりなる粗製の混合物１９．３１ｇを得、カラムクロマトグラフィー〔溶出溶媒：酢酸エチル／メタノール（９：１）〕に付して分別した。収量：（Ｉ）の４．０１ｇ（２１％）、淡褐色固体；（II）の１．５５ｇ（８％）、淡褐色油状物質。
NMR データ I
13C NMR (CD3OD):  = 12.2 (CH3CH2N), 23.9 ((CH3)2C), 44.5 (NCH2CH3), 60.1 (quat C(CH3)2), 62.0 (=NCH2), 99.4, 104.3, 117.0, 118.6, 132.4, 132.8, 135.6 (tert アリール-C), 108.3, 119.1, 155.2, 162.2 (quat アリール-C), 162.8, 163.5 (C=N).
II
13C NMR (CD3OD):  = 12.2 (CH3CH2N), 24.7 ((CH3)2C-), 44.5 (NCH2CH3), 57.1 (quat C(CH3)2), 69.3 (=NCH2), 99.6, 104.1, 116.8, 118.9, 132.2, 132.8, 135.9 (tert アリール-C), 108.1, 119.1, 155.4, 161.4, 177.0 (quat アリール-C), 158.0, 168.4 (C=N).
【００９０】
実施例６：
Ｎ−〔４−（ジメチルアミノ）サリシリデン〕−Ｎ′−（サリシリデン）−１，２−エチレンジアミン
【００９１】
【化２８】
0004290269.tif 000018
【００９２】
４−（ジメチルアミノ）サリシルアルデヒド５．８３ｇ（３５．３mmol）及びサリシルアルデヒド４．３６ｇ（３５．３mmol）をエタノール３０mlに溶解して５０℃に加熱し、エチレンジアミン２．２７ml（２．０３ｇ、３３．６mmol）を２分間かけて加えた。添加の間、反応温度は約１５℃上昇した。生成した懸濁液を６５℃で４時間加熱した。放冷却後、反応混合物を固化させ暗褐色固体１４．２ｇを生成させた。この固体に酢酸エチル／メタノール（９：１）の１００mlを加えて２時間撹拌した。固形物を濾取し、２回、再懸濁した。残留する固体を濾去し、濾液を濃縮した。残渣をカラムクロマトグラフィー〔固定相：シリカゲル４５０ｇ、溶出溶媒：酢酸エチル／メタノール（９：１）〕に付して精製した。収量：１．３ｇ（１２％）
13C NMR (CD3OD):  = 39.0 (NCH3), 53.3, 60.7 (=NCH2), 104.3, 117.0, 131.9, 132.1, 132.8, 132.9, 135.0, 135.2, 163.7, 167.3 (tert アリール-C), 118.5, 157.3, 161.6, 162.3 (quat アリール-C), 163.0, 168.0 (C=N).
【００９３】
実施例７：
Ｎ−１−〔４−（ジメチルアミノ）サリシリデン〕−Ｎ′−２−（サリシリデン）−２−メチルプロパン−１，２−ジアミン（構造式Ｉ）及びＮ−２−〔４−（ジメチルアミノ）サリシリデン〕−Ｎ′−１−（サリシリデン）−２−メチルプロパン−１，２−ジアミン（構造式II）
【００９４】
【化２９】
0004290269.tif 000019
【００９５】
実施例２で得られたＮ−モノ〔４−（ジメチルアミノ）サリシリデン〕−２−メチルプロパン−１，２−ジアミン７．６７ｇ（３０．３mmol）をエタノール５０mlに溶解して５０℃に加熱した。この温度で、サリシルアルデヒド３．７０ｇ（３０．３mmol）を滴下し、反応溶液を１時間還流加熱した。暗褐色の懸濁液を濃縮して粗生成物１０．３ｇを得、カラムクロマトグラフィー〔固定相：シリカゲル１kg、溶出溶媒：酢酸エチル／メタノール（９：１）〕に付して精製した。収量：（Ｉ）の１．７ｇ（１６％）、帯黄色固体；（II）の０．８１ｇ（８％）、帯褐色固体。  同時に、異性体混合物２．８ｇ（２８％）を単離した〔1ＨＮＭＲに基づく組成：（Ｉ）の１．７５ｇ、（II）の１．１７ｇ〕。
異性体構造式（Ｉ）:
1H NMR (CDCl3):  = 1.40 (s, 6H, CH3), 3.00 (s, 6H, NCH3), 3.60 (m, 2H, =NCH2), 6.12, 6.18, 6.83, 6.90, 6.98, 7.21, 7.25 (m, それぞれ 1H, tert アリール-H), 8.03, 8.32 (s, それぞれ 1H, CH=N).
13C NMR (CDCl3):  = 25.0 ((CH3)2C-), 40.0 (NCH3), 60.2 (quat C(CH3)2), 68.9 (=NCH2), 98.8, 103.5, 117.1, 131.4-132.1 (tert アリール-C), 108.8, 153.7 (quat アリール-C), 118.8 (tert アリール-C および quat アリール-C), 161.3 (C=N および quat アリール-C), 165.0 (C=N および quat アリール-C).異性体構造式（II）:
13C NMR (CDCl3):  = 25.5 ((CH3)2C), 40.1 (NCH3), 58.8 (quat C), 70.7 (NCH2), 99.2, 103.4, 117.0, 118.6, 131.6, 132.3, 132.9 (tert アリール-C), 108.9, 154.0, 161.6 (quat アリール-C), 159.5, 166.5 (C=N).
【００９６】
実施例８：
Ｎ−１−〔４−（ジメチルアミノ）サリシリデン〕−Ｎ′−２−（４−ヒドロキシサリシリデン）−２−メチルプロパン−１，２−ジアミン（構造式Ｉ）及びＮ−２−〔４−（ジメチルアミノ）サリシリデン〕−Ｎ′−１−（４−ヒドロキシサリシリデン）−２−メチルプロパン−１，２−ジアミン（構造式II）
【００９７】
【化３０】
0004290269.tif 000020
【００９８】
実施例２で得られたＮ−モノ〔４−（ジメチルアミノ）サリシリデン〕−２−メチルプロパン−１，２−ジアミン７．６７ｇ（３０．３mmol）をエタノール５０mlに溶解して５５℃に加熱し、この温度で、固体の２，４−ジヒドロキシベンズアルデヒド４．１８ｇ（３０．３mmol）を加えた。次いで、原料が消失するまで反応混合物を還流加熱した〔ＴＬＣモニター、展開溶媒：酢酸エチル／メタノール（９：１）〕。灰褐色の懸濁液を濃縮し、残渣を高真空下に乾燥して粗生成物１０．８ｇを得た。この粗生成物を酢酸エチル／メタノール（９：１）の５０mlに懸濁して濾過し、濾液を濃縮し（粗生成物１．３８ｇ）、カラムクロマトグラフィー〔溶出溶媒：酢酸エチル／メタノール（９：１）〕に付して分離した。収量：２９０mg（３％）、化合物（Ｉ及びII）の異性体混合物。
13C NMR (DMSO-d6):  = 26.0, 26.1 ((CH3)2C-), 40.3 (NCH3), 59.2, 59.7 (quat C, C(CH3)2), 68.6, 68.9 (NCH2), 99.0, 99.2, 103.4, 103.6, 104.1, 104.3, 107.4, 107.7, 133.6, 134.0, 134.3, 134.6 (tert アリール-C), 109.2, 109.4, 112.1, 154.4, 154.5, 162.7, 165.2, 165.5 (quat アリール-C), 161.3, 162.0, 166.3, 166.7 (C=N).
【００９９】
実施例９：
Ｎ−１−〔４−（ジメチルアミノ）サリシリデン〕−Ｎ′−２−（４−メトキシサリシリデン）−２−メチルプロパン−１，２−ジアミン（構造式Ｉ）及びＮ−２−〔４−（ジメチルアミノ）サリシリデン〕−Ｎ′−１−（４−メトキシサリシリデン）−２−メチルプロパン−１，２−ジアミン（構造式II）
【０１００】
【化３１】
0004290269.tif 000021
【０１０１】
実施例２で得られたＮ−モノ〔４−（ジメチルアミノ）サリシリデン〕−２−メチルプロパン−１，２−ジアミン７．６７ｇ（３０．２７mmol）をエタノール５０mlに溶解して５０℃に加熱し、この温度で、４−メトキシサリシルアルデヒド４．６ｇ（３０．２７mmol）を加えた。この混合物を２時間還流し、冷却して濃縮した。得られた褐色の固体（１２．２ｇ）をカラムクロマトグラフィー〔固定相：シリカゲル１kg、溶出溶媒：酢酸エチル／メタノール（９：１）〕に付して精製した。収量：４．６９ｇ（４２％）、異性体混合物。
13C NMR (CDCl3):  = 25.3 ((CH3)2C), 40.3 (NCH3), 55.3 (OCH3), 58.6, 59.2 (quat C, C(CH3)2), 68.8, 69.2 (=NCH2), 98.8, 99.2, 101.2, 101.4, 103.4, 103.5, 106.2, 106.4, 132.8, 133.1 (tert アリール-C), 108.7, 108.8, 112.1, 112.3, 153.8, 154.1, 163.7, 164.0, 166.8, 167.5 (quat アリール-C), 159.5, 160.2, 165.0, 165.5 (C=N).
【０１０２】
実施例１０：
Ｎ−〔４−（ジメチルアミノ）サリシリデン〕−Ｎ′−（４−メトキシサリシリデン）−１，２−エチレンジアミン
【０１０３】
【化３２】
0004290269.tif 000022
【０１０４】
エチレンジアミン３．８７ｇ（０．０６４４mol）をエタノール３００mlに溶解して反応容器に入れ、エタノール６０mlに溶解した４−Ｎ−（ジエチルアミノ）サリシルアルデヒド１２．４５ｇ（０．０６４４mol）の溶液を、室温で撹拌しながらゆっくり滴下した。この混合物を２時間還流加熱し、室温に冷やした後、エタノール２５mlに溶解した４−メトキシサリシルアルデヒド９．８ｇ（０．０６４４mol）の溶液をゆっくり滴下した。次いで、反応混合物を１時間還流加熱し、徐々に放冷して室温で８時間撹拌した。得られた黄色の懸濁液を減圧下に濃縮し、濃縮液をカラムクロマトグラフィー〔固定相：シリカゲル、溶出溶媒：酢酸エチル／メタノール（９：１）〕に付して精製し、非対称の配位子を橙色油状物質として単離した。収量：４．００ｇ（１７％）。
13C NMR (CDCl3):  = 12.7 (CH3CH2N), 44.4 (NCH2CH3), 55.3 (OCH3), 58.1, 58.7 (NCH2), 98.0, 101.2, 103.1, 106.3, 132.9, 133.0 (tert アリール-C), 108.3, 112.3, 151.5, 163.5 (quat アリール-C), 164.5, 165.4 (C=N).
【０１０５】
実施例１１：
Ｎ−〔４−（ジエチルアミノ）サリシリデン〕−Ｎ′−（４−ヒドロキシサリシリデン）−１，２−エチレンジアミン
【０１０６】
【化３３】
0004290269.tif 000023
【０１０７】
４−Ｎ−（ジエチルアミノ）サリシルアルデヒド６．０９ｇ（３１．５mmol）及び２，４−ジヒドロキシベンズアルデヒド４．３５ｇ（３１．５mmol）をエタノール３０mlに加え、この混合物を５０℃に加熱し、エチレンジアミン２ml（１．８０ｇ、３０mmol）を２分間かけて加えた。この添加の間、反応温度は約１０℃上昇した。反応混合物を６５℃に４時間加熱し、冷却後、濃縮して暗褐色油状物質１４．２ｇを得た。この油状物質を酢酸エチル／メタノール（９：１）混液１００mlと混合し、得られた混合物を２時間撹拌した。懸濁液を濾過して濾液を濃縮し、残渣をカラムクロマトグラフィー〔固定相：シリカゲル４５０ｇ、溶出溶媒：酢酸エチル／メタノール（９：１）〕に付して精製した。収量：１．１８ｇ（１１％）、橙色油状物質。
13C NMR (DMSO-d6):  = 13.4 (CH3CH2N), 44.6 (NCH2CH3), 57.9, 58.6 (=NCH2), 98.2, 103.5, 103.7, 107.8, 134.0, 134.3 (tert アリール-C), 108.6, 112.0, 126.3, 152.0, 162.8, 166.2 (quat アリール-C), 165.7, 166.6 (C=N).
【０１０８】
実施例１２：
Ｎ−〔４−（ジエチルアミノ）サリシリデン〕−Ｎ′−（サリシリデン）−１，２−エチレンジアミン
【０１０９】
【化３４】
0004290269.tif 000024
【０１１０】
４−Ｎ−ジエチルアミノサリシルアルデヒド１０ｇ（５１．７mmol）及びサリシルアルデヒド６．３１ｇ（５１．７mmol）をエタノール５０mlに溶解し、室温でエチレンジアミン３．１ｇ（５１．７mmol）を加えた。この添加の間、溶液は約４０℃昇温した。反応溶液を７０℃に３時間加熱してから放冷して濃縮し、赤味がかった褐色油状物質２１．６ｇを得た。粗生成物をカラムクロマトグラフィー〔固定相：シリカゲル１kg、溶出溶媒：酢酸エチル／メタノール（２０：１）〕に付して精製した。収量：１．５ｇ（８．５％）。
13C NMR (CD3OD):  = 13.5 (CH3CH2N), 46.0 (NCH2CH3), 53.3, 60.7 (=NCH2), 100.5, 105.7, 118.5, 120,3, 132.8, 133.5, 137.0 (tert アリール-C), 109.6, 156.6, 164.5, 177.2 (quat 芳香族), 163.0, 169.5 (C=N).
【０１１１】
実施例１３：
（Ｒ，Ｒ）−Ｎ−〔４−（ジエチルアミノ）サリシリデン〕−Ｎ′−（サリシリデン）−１，２−シクロヘキサンジアミン
【０１１２】
【化３５】
0004290269.tif 000025
【０１１３】
Tetrahedron Letters 39, 4199-4202 (1998)に記載の方法に準じて製した（Ｒ，Ｒ）−Ｎ−モノ（サリシリデン）−１，２−シクロヘキサンジアミン０．２ｇ（０．９１６mmol）をエタノール２０mlに溶解して製造した透明な黄色溶液に、エタノール２０mlに溶解した４−Ｎ−（ジエチルアミノ）サリシルアルデヒド１７７mg（０．９１６mmol）の溶液を室温で滴下した。暗赤色の反応溶液を６０℃で４時間加熱してから室温まで放冷し、ロータリエバポレーターを用いて注意しながら濃縮した。赤色固体として得られた粗生成物３８６mgをカラムクロマトグラフィー（固定相：シリカゲル３０ｇ、溶出溶媒：酢酸エチル）に付して精製した。収量：１２４．０mg（３４％）、蜂蜜色の蜂の巣様結晶。
13C NMR (CDCl3):  = 12.7 (CH3CH2N), 24.2, 24.4, 33.2, (シクリル CH2), 44.4 (CH3CH2N), 70.9, 72.9 (tert シクリル CH), 97.9, 103.0, 116.7, 118.5, 131.5, 132.0, 132.9 (tert アリール-C), 108.2, 118.8, 151.3, 164.6, 165.3 (quat アリール-C), 161.1, 162.8 (C=N).
【０１１４】
実施例１４：
（Ｒ，Ｒ）−Ｎ−〔４−（ジメチルアミノ）サリシリデン〕−Ｎ′−（サリシリデン）−１，２−シクロヘキサンジアミン
【０１１５】
【化３６】
0004290269.tif 000026
【０１１６】
上記の実施例の方法に準じ、（Ｒ，Ｒ）−Ｎ−モノ（サリシリデン）−１，２−シクロヘキサンジアミン０．５ｇ（２．２９mmol）を４−Ｎ−（ジメチルアミノ）サリシルアルデヒド０．３７８ｇ（２．２９mmol）と反応させた。同様な後処理を行って粗生成物（８２９mg）を得、カラムクロマトグラフィー〔固定相：シリカゲル、溶出溶媒：酢酸エチル／メタノール（９：１）〕に付して分離精製した。収量：３１８mg、淡黄色固体。
13C NMR (CDCl3):  = 24.2, 24.4, 33.2, (シクリル CH2), 40.0 (N-CH3), 71.1, 72.9 (tert シクリル CH), 98.7, 103.4, 116.7, 118.5, 131.5, 132.0, 132.6 (tert アリール-C), 108.7, 118.7, 153.6, 161.1 (quat アリール-C), 163.2, 164.7 (C=N).
【０１１７】
実施例１５：
（Ｒ，Ｒ）−Ｎ−（２−ヒドロキシアセトフェノン）−Ｎ′−（サリシルアルデヒド）−１，２−シクロヘキサンジアミン
【０１１８】
【化３７】
0004290269.tif 000027
【０１１９】
（Ｒ，Ｒ）−Ｎ−モノ（サリシリデン）−１，２−シクロヘキサンジアミン０．５ｇ（２．２９mmol）をエタノール５０mlに溶解し、エタノール５０mlに溶解した２−ヒドロキシアセトフェノン０．３２ｇ（２．２９mmol）の溶液を滴下した。この混合物を８時間還流加熱した。反応混合物を冷却して濃縮し、褐色の固体７１４mgを得た。この粗生成物をカラムクロマトグラフィー〔溶出溶媒：トルエン／酢酸エチル（３：１）〕に付して精製した。収量：２１５．６mg（２８％）、黄色シロップ。
13C NMR (CDCl3):  = 14.7 (CH3), 24.2, 24.3, 32.3, 33.1 (シクリル CH2), 62.3, 73.7 (tert シクリル CH), 116.8, 117.1, 118.6, 118.7, 128.3, 131.6, 132.3, 132.4 (tert アリール-C), 119.2, 160.9, 163.9, 170.8 (quat アリール-C), 164.8 (C=N).
【０１２０】
実施例１６：
（Ｒ，Ｒ）−Ｎ−モノ〔４−（ジエチルアミノ）サリシリデン〕−１，２−シクロヘキサンジアミン
【０１２１】
【化３８】
0004290269.tif 000028
【０１２２】
トランス−１，２−ジアミノヘキサン３．９５ｇ（３４．５５mmol）をクロロホルム７７０mlに溶解し、モレキュラーシーブ（４Å）の５０ｇと混ぜて−３℃に冷やした。この温度で、クロロホルム２５０mlに溶解した４−Ｎ−（ジエチルアミノ）サリシルアルデヒド６．６８ｇ（３４．５５mmol）の溶液を５時間かけて滴下した。添加後、反応溶液を室温まで昇温させて８時間撹拌し、反応の経過をＴＬＣ〔展開溶媒：酢酸エチル／メタノール（８：１）〕でモニターした。反応終了後、反応溶液を濾過して濃縮し、粗生成物９．９ｇ（１００％）を得、更に精製することなく次の反応に使用した。
【０１２３】
実施例１７：
（Ｒ，Ｒ）−Ｎ−〔４−（ジエチルアミノ）サリシリデン〕−Ｎ′−（４−ヒドロキシサリシリデン）−１，２−シクロヘキサンジアミン
【０１２４】
【化３９】
0004290269.tif 000029
【０１２５】
（Ｒ，Ｒ）−Ｎ−モノ〔４−（ジエチルアミノ）サリシリデン〕−１，２−シクロヘキサンジアミン２．５ｇ（８．６４mmol）をエタノール２００mlに懸濁し、２，４−ジヒドロキシベンズアルデヒド１．１９ｇ（８．６４mmol）の溶液を４５分かけて室温で滴下した。この懸濁液を６０℃で４時間加熱した後、室温に冷やし、生成した帯褐色の橙色溶液を濃縮乾固した。粗生成物（３．５ｇ）をカラムクロマトグラフィー〔溶出溶媒：酢酸エチル／メタノール（９：１）〕に付して分割した。収量：５７０mg（１６％）、黄橙色固体。
13C NMR (CDCl3):  = 12.4(CH3CH2N), 23.8, 32.7, 32.8 (シクリル-CH2), 43.7 (CH3CH2), 70.2, 70.6 (tert シクリル CH), 97.1, 102.3, 102.7, 106.7, 132.8, 133.1 (tert アリール-C), 107.6, 111.1, 150.7, 161.4, 163.9 (quat アリール-C), 163.1, 163.8 (C=N).
【０１２６】
実施例１８：
（Ｒ，Ｒ）−Ｎ−〔４−（ジエチルアミノ）サリシリデン〕−Ｎ′−（４−メトキシサリシリデン）−１，２−シクロヘキサンジアミン
【０１２７】
【化４０】
0004290269.tif 000030
【０１２８】
（Ｒ，Ｒ）−Ｎ−モノ〔４−（ジエチルアミノ）サリシリデン〕−１，２−シクロヘキサンジアミン２．５ｇ（８．６４mmol）をエタノール２００mlに懸濁し、エタノール２００mlに溶解した４−メトキシサリシルアルデヒド１．３ｇ（８．６４mmol）の溶液を４５分かけて室温で滴下した。反応溶液を６０℃で４時間加熱し、室温に冷やした後、濃縮乾固した。得られた粗生成物をカラムクロマトグラフィー〔溶出溶媒：酢酸エチル／メタノール（９：１）〕に付して精製した。収量：５００mg（１４％）、徐々に結晶化する帯赤色橙色油状物質。
13C NMR (CDCl3):  = 12.7 (CH3CH2N), 24.3, 33.2 (シクリル-CH2), 44.4 (CH3CH2N), 55.3 (OCH3), 70.9, 71.5, 71.6 (tert シクリル CH), 98.0, 101.1, 103.0, 106.1, 106.2, 132.9 (tert アリール-C), 108.2, 112.3, 151.3, 165.5 (quat アリール-C), 162.9, 163.7 (C=N).
【０１２９】
マンガン錯体の合成：
実施例１９：
〔Ｎ−〔４−（ジエチルアミノ）サリシリデン〕−Ｎ′−（４−メトキシサリシリデン）−１，２−エチレンジアミナト〕マンガン（III）−クロリド
【０１３０】
【化４１】
0004290269.tif 000031
【０１３１】
実施例１０で得られた配位子２００mg（０．５４１mmol）をエタノール１１mlに溶解し、透明な橙色溶液に酢酸マンガン（II）４水和物１３３mg（０．５４１mmol）を加えた。溶液の色調は暗赤色に変化し、沈殿物を形成した。この混合物を７０℃で４時間加熱して沈殿物を溶解した。次いで、ロータリエバポレーターを用いて反応溶液を濃縮乾固した。得られた固体３０６mgを蒸留水１１mlに溶解し、塩化ナトリウム０．５４ｇを加えて生成物を沈殿させ、１０分間撹拌し、濾取して真空下に５０℃で乾燥した。収量：２２０mg（８９％）、帯赤色黒色固体。
【０１３２】
実施例２０：
〔Ｎ−２−〔４−（ジエチルアミノ）サリシリデン〕−Ｎ′−１−（サリシリデン）−２−メチルプロパン−１，２−ジアミナト〕マンガン（III）−クロリド
【０１３３】
【化４２】
0004290269.tif 000032
【０１３４】
実施例５で得られた配位子（II）の１．２ｇ（３．２５mmol）をエタノール６５mlに溶解し、この黄橙色溶液に酢酸マンガン（II）４水和物０．８０ｇ（３．２５mmol）を室温で加えた。溶液の色調は赤色に変化した。反応混合物を６５〜７０℃で４時間加熱して濃縮乾固した。残渣を蒸留水６５mlに溶解し、塩化ナトリウム３．２５ｇを加えて錯体を沈殿させ、濾取して単離し、恒量になるまで高真空下に５０℃で乾燥した。収量：１．１ｇ（７４％）、赤味がかった褐色固体。
【０１３５】
実施例２１：
〔Ｎ−１−〔４−（ジメチルアミノ）サリシリデン〕−Ｎ′−２−（サリシリデン）−２−メチルプロパン−１，２−ジアミナト〕マンガン（III）−クロリド
【０１３６】
【化４３】
0004290269.tif 000033
【０１３７】
実施例７で得られた配位子（Ｉ）の１ｇ（２．９５mmol）をエタノール６０mlに懸濁し、酢酸マンガン（II）４水和物０．７２ｇ（２．９５mmol）を加えた。実施例２０の方法に準じ、反応及び後処理を行った（塩化ナトリウム６ｇを加えて沈殿させた）。収量：９２４mg（７３％）、帯赤色褐色固体。
【０１３８】
実施例２２：
〔Ｎ−２−〔４−（ジメチルアミノ）サリシリデン〕−Ｎ′−１−（サリシリデン）−２−メチルプロパン−１，２−ジアミナト〕マンガン（III）−クロリド
【０１３９】
【化４４】
0004290269.tif 000034
【０１４０】
実施例７で得られた配位子（II）の５２９mg（１．５６mmol）をエタノール３０mlに溶解し、酢酸マンガン（II）４水和物３８０mg（１．５６mmol）と反応させ、実施例２０の方法に準じ、塩化ナトリウム３．１ｇを加えて生成物を沈殿させた。収量：９２９mg。この金属錯体は塩化ナトリウムを含んでいたが、更に精製することなく使用した。
【０１４１】
実施例２３：
〔Ｎ−〔４−（ジエチルアミノ）サリシリデン〕−Ｎ′−（４−ヒドロキシサリシリデン）−１，２−エチレンジアミナト〕マンガン（III）−クロリド
【０１４２】
【化４５】
0004290269.tif 000035
【０１４３】
実施例１１で得られた配位子３００mg（０．８４４mmol）をエタノール１７mlに懸濁し、この懸濁液に酢酸マンガン（II）４水和物２０７mg（０．８４４mmol）を加えた。赤色への色調変化があった。反応混合物を３０分間還流加熱してから６５〜７０℃に３時間保持した。この溶液を濃縮して生成させた固形物４１９mgを蒸留水１７mlに溶解し、塩化ナトリウム０．８４ｇを加えて錯体を沈殿させ、濾取して乾燥した。収量：３１４mg（８４％）、暗赤色固体。
【０１４４】
実施例２４：
〔Ｎ−１−〔４−（ジエチルアミノ）サリシリデン〕−Ｎ′−２−（４−メトキシサリシリデン）−２−メチルプロパン−１，２−ジアミナト〕マンガン（III）−クロリド（構造式Ｉ）及び〔Ｎ−２−〔４−（ジエチルアミノ）サリシリデン〕−Ｎ′−１−（４−メトキシサリシリデン）−２−メチルプロパン−１，２−ジアミナト〕マンガン（III）−クロリド（構造式II）
【０１４５】
【化４６】
0004290269.tif 000036
【０１４６】
実施例３で得られた配位子（異性体の混合物）の３ｇ（７．５mmol）をエタノール１５０mlに溶解し、この淡褐色溶液（高レベルの希釈度では黄色）に酢酸マンガン（II）４水和物１．８５ｇ（７．５mmol）を加えた。色調は直ちに赤色に変化した。透明な溶液を６５〜７０℃に４時間加熱し、冷却後、濃縮した。得られた暗赤色油状物質（４．３３ｇ）を蒸留水１５０mlに溶解し、塩化ナトリウム７．５ｇを加えて錯体を沈殿させ、濾過して単離し、乾燥した。収量：２．６８ｇ（７３％）、暗赤色固体、異性体の混合物。
【０１４７】
実施例２５：
〔Ｎ−〔４−（ジエチルアミノ）サリシリデン〕−Ｎ′−（サリシリデン）−１，２−エチレンジアミナト〕マンガン（III）−クロリド
【０１４８】
【化４７】
0004290269.tif 000037
【０１４９】
実施例１２で得られた配位子１９４mg（０．５７mmol）をエタノール１０mlに溶解し、酢酸マンガン（II）４水和物１４０mg（０．５７mmol）を加えた。帯赤色褐色から血赤色への色調変化があった。反応溶液を３時間還流下に沸騰させ、一夜撹拌しながら放置し、更に３時間加熱した。冷却後、反応溶液を濃縮乾固して残渣を蒸留水１０mlに溶解し、塩化ナトリウム１．５ｇを加えて生成物を沈殿させ、濾過して単離し、高真空下に乾燥した。この生成物は塩化ナトリウムを含んでいたが、更に精製することなしに使用した。
【０１５０】
実施例２６：
〔Ｎ−１−〔４−（ジエチルアミノ）サリシリデン〕−Ｎ′−２−（サリシリデン）−２−メチルプロパン−１，２−エチレンジアミナト〕マンガン（III）−クロリド
【０１５１】
【化４８】
0004290269.tif 000038
【０１５２】
実施例５で得られた配位子（Ｉ）の１．５ｇ（４．０８mmol）をエタノール８０mlに溶解し、酢酸マンガン（II）４水和物１．０ｇ（４．０８mmol）を加えた。得られた溶液を６５℃で２時間加熱した。冷却後、反応溶液を濃縮乾固して残渣を蒸留水８０mlに溶解し、塩化ナトリウム４．１ｇを加えて生成物を沈殿させ、濾過して単離し、高真空下に乾燥した。収量：１．５１ｇ（８１％）。
【０１５３】
実施例２７：
〔Ｎ−〔４−（ジメチルアミノ）サリシリデン〕−Ｎ′−（サリシリデン）−１，２−エチレンジアミナト〕マンガン（III）−クロリド
【０１５４】
【化４９】
0004290269.tif 000039
【０１５５】
実施例６で得られた配位子１１０mg（０．３５３mmol）をエタノール５mlに溶解し、酢酸マンガン（II）４水和物８６．５mg（０．３５３mmol）を加えた。得られた赤褐色の溶液を６５℃で２時間加熱した。冷却後、反応溶液を濃縮乾固して残渣を蒸留水５mlに溶解し、塩化ナトリウム２００mgを加えて生成物を沈殿させ、濾過して単離し、高真空下に乾燥した。収量：６１mg（４３％）。
【０１５６】
実施例２８：
（Ｒ，Ｒ）−Ｎ−〔４−（ジメチルアミノ）サリシリデン〕−Ｎ′−（４−ヒドロキシサリシリデン）−１，２−シクロヘキサンジアミン
【０１５７】
【化５０】
0004290269.tif 000040
【０１５８】
（Ｒ，Ｒ）−Ｎ−モノ（４−ジメチルアミノサリシリデン）−１，２−シクロヘキサンジアミン２．５ｇ（９．５６mmol）をエタノール２２５mlに溶解し、エタノール２２５mlに溶解した２，４−ジヒドロキシベンズアルデヒド１．３２１ｇ（９．５６mmol）の溶液を室温で４５分かけて滴下した。反応溶液を６０℃で４時間加熱し、冷却後、生成した赤味を帯びた褐色溶液を濃縮乾固した。粗生成物（約５ｇ）をカラムクロマトグラフィー〔溶出溶媒：酢酸エチル／メタノール（９：１）〕に付して分割した。収量：１．０９ｇ（３０％）、黄橙色固体。
13C NMR (DMSO-d6):  = 23.7, 32.7, 32.8 (シクリル CH2), 40.0 (NCH3), 70.3, 70.7 (tert. シクリル CH), 97.9, 102.3, 103.2, 106.7, 132.5, 133.1 (tert. アリール-C), 108.1, 111.1, 153.1, 161.4 (quart. アリール-C), 163.4, 163.9 (C=N).
【０１５９】
実施例２９：
（Ｒ，Ｒ）−Ｎ−〔４−（ジメチルアミノ）サリシルアルデヒド〕−Ｎ′−（２−ヒドロキシアセトフェノン）−１，２−シクロヘキサンジイミン
【０１６０】
【化５１】
0004290269.tif 000041
【０１６１】
（Ｒ，Ｒ）−Ｎ−モノ（４−ジメチルアミノサリシリデン）−１，２−シクロヘキサンジアミン２．５ｇ（９．５６mmol）をエタノール２２５mlに溶解し、エタノール２２５mlに溶解した２−ヒドロキシアセトフェノン１．３０ｇ（９．５６mmol）の溶液を滴下した。反応溶液を６０℃で８時間加熱した。生成した赤味を帯びた褐色の透明な溶液を室温で、更に４時間撹拌し、高真空下に濃縮乾固した。粗生成物（３．６ｇ、暗赤色油状物質）をカラムクロマトグラフィー〔溶出溶媒：酢酸エチル／メタノール（９：１）〕に付して分割した。収量：１．６０ｇ（４４％）、帯赤色橙色泡状物質。
13C NMR (CDCl3):  = 14.7 (CH3), 24.2, 24.3, 32.4, 33.2 (シクリル CH2), 40.0 (NCH3), 62.3, 72.2 (tert. シクリル CH), 98.6, 103.4, 116.8, 118.6, 128.3, 132.3, 132.7 (tert. アリール-C), 108.6, 119.1, 153.6, 164.3, 170.9 (quart. アリール-C), 163.2 (C=N).
C23H29N3O2 (379.5)
【０１６２】
実施例３０：
Ｎ−モノ〔４−（ジエチルアミノ）サリシリデン〕−１，２−フェニレンジアミン
【０１６３】
【化５２】
0004290269.tif 000042
【０１６４】
１，２−フェニレンジアミン１．９２７ｇ（１７．６４mmol）をエタノール１８mlに溶解し、４−（Ｎ，Ｎ−ジエチルアミノ）サリシルアルデヒド３．４７９ｇ（１７．６４mmol）を少しずつ５℃で加え、温度を１０℃以下に保持した。生成した暗赤色の懸濁液を室温で８時間撹拌して、減圧下に濃縮乾固した。粗生成物（６．３４ｇ）をカラムクロマトグラフィー〔溶出溶媒：ｎ−ヘキサン／酢酸エチル（６５：３５）〕に付して分離した。収量：１．２７ｇ（２６％）、黄金色の黄色結晶。
13C NMR (CDCl3):  = 12.7 (CH3), 44.6 (CH2), 97.6, 103.7, 115.4, 118.2, 118.8, 126.6, 133.7 (tert. アリール-C), 109.3, 136.4, 140.4, 151.6, 163.2 (quart. アリール-C), 160.9 (C=N).
【０１６５】
実施例３１：
Ｎ−〔４−（ジエチルアミノ）サリシリデン〕−Ｎ′−（サリシリデン）−１，２−フェニレンジアミン
【０１６６】
【化５３】
0004290269.tif 000043
【０１６７】
実施例３０で得られたＮ−モノ〔４−（ジエチルアミノ）サリシリデン〕−１，２−フェニレンジアミン０．３ｇ（１．０６mmol）をエタノール２mlに懸濁した黄褐色の懸濁液に、サリシルアルデヒド１２９mg（１１２μl、１．０６mmol）を６０℃で滴下した。反応溶液を７５℃で５時間撹拌し、室温に冷やして濃縮乾固した。粗生成物をカラムクロマトグラフィー〔溶出溶媒：ｎ−ヘキサン／酢酸エチル（６５：３５）〕に付して分離した。収量：１３９mg（３４％）、無色油状物質。
13C NMR (CDCl3):  = 11.7 (CH3CH2N), 44.4 (CH3CH2N), 97.0, 102.4 (tert. アリール-H), 116.5-119.0, 125.1, 126.6, 130.0-132.0 (tert. アリール-C), 108.3, 118.3, 141.1, 141.4, 151.2, 160.3 (quart. アリール-C), 159.5, 162.4 (C=N).
C24H25N3O2 (387.5)
【０１６８】
実施例３２：
非対称及び対称のマンガン（III）−サレン錯体混合物の製造
記載の非対称サレン錯体は、複雑な精製をすることなく、異なる金属錯体の混合物として使用することができる。
実施例５で得られた粗製の混合物４．７４ｇをエタノール２５０mlに溶解して透明な褐色の溶液とし、酢酸マンガン（II）４水和物３．１７ｇ（１２．９mmol）を加えた。反応液の色調は赤に変化した。反応混合物を６５〜７０℃で４時間加熱してから濃縮乾固した。生成した固体を蒸留水２５０mlに溶解し、塩化ナトリウム２６ｇを加えて塩析して真空下に乾燥した。この粗製混合物は、実施例２０及び２６で得られた非対称の金属錯体及び構造式：
【０１６９】
【化５４】
0004290269.tif 000044
【０１７０】
の対称配位子の金属錯体を含んでいた。
【０１７１】
実施例３３：
触媒の有効性を調べるために、ＤＴＩ効率を測定した。ＤＴＩ（Dye transfer inhibition；染料移動阻害）効率ａは、以下のパーセントとして定義される：
ａ＝（〔Ｙ（Ｅ）−Ｙ（Ａ）〕／〔Ｙ（Ｗ）−Ｙ（Ａ）〕）＊１００
式中、Ｙ（Ｗ）、Ｙ（Ａ）及びＹ（Ｅ）は、その順に、白色材料、触媒を添加せずに処理した材料及び触媒を添加して処理した材料のＣＩＥ明度である。ａ＝０は、洗濯液への添加が染料移動を制御しない完全に無効な製品の特性を表す。一方、ａ＝１００％は、白色の生地の染色を完全に抑制する完全な触媒に相当する。
【０１７２】
試験データは、次の試験系を用いて決定した：白色綿織物７．５ｇを洗濯液８０ml中で処理する。この洗濯液は、７．５g/lの濃度で標準の洗剤ＥＣＥリン酸なし（456 IEC）ＥＭＰＡ（スイス）、Ｈ2Ｏ2の８．６mmol/l及び試験染料溶液を含んでいる。洗濯の方法は、LINITEST装置の計量カップ中、４０℃で３０分間行う。このテストで、触媒は所定の濃度で標準通りに用いた。
【０１７３】
試験染料として、以下の市販で得られる染料を使用した：
染料１    （Ｆ１）   Direct Brown 172
染料４    （Ｆ４）   Reactive Blue 238
染料６    （Ｆ６）   Reactive Black 5
染料８    （Ｆ８）   Direct Blue 71
染料９    （Ｆ９）   Direct Black 22
染料１０  （Ｆ１０） Anionic Blue 113
染料１３  （Ｆ１３） Disperse Violet 1
染料１４  （Ｆ１４） Reactive Blue 19
【０１７４】
試料の反射スペクトルは、SPECTRAFLASH 2000（Ｍｎ錯体）を用いて測定し、ＣＩＥの標準法によって明度（D65/10）に変換した。
【０１７５】
下記の表は実施例２４で得られた触媒（Ｍｎ錯体）を用いた結果を示した。表は、上記の実施条件下で触媒濃度の関数としてＤＴＩ効果（ａ）を示している。
【０１７６】
【表１】
0004290269.tif 000045
【０１７７】
下記の表は、実施例２４で得られた触媒は、各種クラスの染料の再沈殿を非常に有効に防止することを示す。ここに記載する数値は、５０μmol/lの触媒濃度及び上記と同じ実験条件に関連している。
【０１７８】
【表２】
0004290269.tif 000046
【０１７９】
触媒は、２０℃のみの実施温度でさえも、４０℃で見られた保護作用の大多数が保持されるもう一つの特徴を有している。
【０１８０】
【表３】
0004290269.tif 000047
【０１８１】
触媒は、着色された洗濯物に関して許容される損傷の均衡を特徴とする。染料損傷に関しては、高度に感受性であることが知られている染料を用いる場合にも、分解はＴＡＥＤ−活性化漂白系で見られるのと同程度の量に過ぎない。酸素漂白剤の領域で、従来、後者は許容される損傷／利益の均衡を有すると考えられている。上記のように用いられる場合、以下の染料損失百分率は５回の処理後に見られる。
【０１８２】
【表４】
0004290269.tif 000048
【０１８３】
染色された材料に及ぼす繊維損傷に関して、触媒は引用したＴＡＥＤ系よりも優れた均衡を示す。上記のように用いられる場合、以下の相対的ＤＰ低下は、５回の処理後に見られる。
【０１８４】
【表５】
0004290269.tif 000049
【０１８５】
実施例３４：
以下の単離された配位子を用いて実施したＤＴＩスクリーニングは、本来の方法によってスクリーニングする直前にマンガン錯体に変換され、表６に示す結果を与えた。
【０１８６】
【表６】
0004290269.tif 000050
【０１８７】
表７に、単離されたＭｎ錯体を用いてＤＴＩスクリーニングを実施した場合に得られた結果を示した。
【０１８８】
【表７】
0004290269.tif 000051
【０１８９】
実施例３５：
記載された非対称のサレン錯体は、過酸化物濃度を減少した場合にも優れた作用を呈する。過酸化物濃度を８．６mMから０．１７mMに減らした場合にも、ＤＴＩ効果は十分に維持されている。以下の表８に、過酸化物量を減らした場合、実施例２０で得られた金属錯体の効果を示した。
【０１９０】
【表８】
0004290269.tif 000052